(57)【特許請求の範囲】
【請求項１】
燃焼部が１基の燃焼装置と燃焼部が２基の燃焼装置とに共用される制御基板に他の安全装置とともに実装される燃焼装置の安全装置であって、
操作部からの操作信号を入力するための信号入力端子として第１の操作信号入力端子と第２の操作信号入力端子とを備えるとともに、１基の燃焼部からの炎検出信号を入力するための炎検出信号入力端子を備え、
前記第１の操作信号入力端子は、当該第１の操作信号入力端子から入力される操作信号と前記炎検出信号入力端子から入力される炎検出信号とに基づいて、これらの信号が一定条件を満たしたときに、インターロック信号を出力するように構成されたインターロック回路部に接続され、
前記第２の操作信号入力端子は、当該第２の操作信号入力端子から所定の操作信号が入力されることによって作動して前記インターロック回路部からインターロック信号が出力されないようにするとともに、前記第２の操作信号入力端子から入力される操作信号が変化しても作動状態を保持する自己保持回路で構成されたインターロック制限部に接続されてなり、
前記制御基板を、燃焼部が２基の燃焼装置に使用する場合には前記操作部からの操作信号が前記第１の操作信号入力端子に入力されるようにし、燃焼部が１基の燃焼装置に使用する場合には前記操作部からの操作信号が前記第２の操作信号入力端子に入力されるように構成されている
ことを特徴とする燃焼装置の安全装置。
【請求項２】
前記燃焼装置が風呂釜装置であることを特徴とする請求項１に記載の燃焼装置の安全装置。
【請求項３】
前記インターロック回路部は、コンデンサを充電させて前記インターロック信号を生成する回路構成を備え、
前記インターロック制限部は、その作動により、前記インターロック回路部の電源からの電流が前記コンデンサに流れない電流経路を構成する回路構成を備えていることを特徴とする請求項１または２に記載の燃焼装置の安全装置。
【請求項４】
前記インターロック信号は、制御マイコンを介さずに、燃焼部への燃料経路を遮断させるインターロックの作動トリガとして用いられていることを特徴とする請求項１から３のいずれかに記載の燃焼装置の安全装置。
【請求項５】
前記操作信号は、操作部の操作位置に応じて作動するカムスイッチのオン／オフ信号であることを特徴とする請求項１から４のいずれかに記載の燃焼装置の安全装置。
【発明の詳細な説明】
【技術分野】
【０００１】
この発明は燃焼装置の安全装置に関し、より詳細には、操作部からの操作信号と燃焼部からの炎検出信号とに基づいて、これらの信号が一定の条件を満たしたときに、燃焼部への燃料経路を遮断させるインターロック回路に関する。
【背景技術】
【０００２】
燃焼部（バーナ）を備えた燃焼装置においては、バーナへの点火失敗や点火後の途中失火などによってバーナから未燃焼の燃料ガス（未燃焼ガス）が放出されるのを防止するためにインターロック回路が備えられている。
【０００３】
この種のインターロック回路は、操作部からの操作信号とバーナでの炎検出信号に基づいて、これらの信号が一定条件（たとえば、バーナでの燃焼を指示する操作信号があるにもかかわらず、バーナからの炎検出信号が炎有りを示していないなどの条件）を満たしたときにインターロック信号を出力するように構成されており、インターロック信号が出力されるとバーナへの燃料供給が遮断されるように構成されている（たとえば、特許文献１参照）。
【先行技術文献】
【特許文献】
【０００４】
【特許文献１】特開平８−２３３２５８号公報
【発明の概要】
【発明が解決しようとする課題】
【０００５】
ところで、ガスを燃料とする風呂釜装置においてもその燃焼部にはこのようなインターロック回路が備えられているが、給湯機能付きの風呂釜装置においては、風呂追い焚き用の燃焼部と給湯用の燃焼部とが一の燃焼部で兼用されるタイプ（燃焼部が１基のタイプ）と、風呂追い焚き用の燃焼部とは別に給湯用の燃焼部を備えるタイプ（燃焼部が２基のタイプ）とがあり、２基の燃焼部を備える風呂釜装置においては、燃焼部ごとにインターロック回路が設けられている。
【０００６】
そのため、風呂釜装置の製造メーカは、インターロック回路を搭載した制御基板（風呂釜装置用の制御基板）を製作するにあたり、燃焼部が１基の風呂釜装置用のものと燃焼部が２基の風呂釜装置用のものとを別々に製作しなければならず、制御基板の製作コストが高くなるという問題があった。
【０００７】
なお、燃焼部が１基の風呂釜装置用の制御基板と燃焼部が２基の風呂釜装置用の制御基板とを共用可能に構成する場合において、一部の部品の抜き差しが必要な構造を採用することは施工ミス（タイプの取り違い）を誘発することになり好ましくない。
【０００８】
本発明は、このような問題点に鑑みてなされたものであって、その目的とするところは、部品の抜き差しを必要とすることなく、燃焼部が１基の風呂釜装置と燃焼部が２基の風呂釜装置とに兼用できる燃焼装置（または風呂釜装置）の安全装置を提供することにある。
【課題を解決するための手段】
【０００９】
上記目的を達成するため、本発明に係る燃焼装置の安全装置は、燃焼部が１基の燃焼装置と燃焼部が２基の燃焼装置とに共用される制御基板に他の安全装置とともに実装される燃焼装置の安全装置であって、操作部からの操作信号を入力するための信号入力端子として第１の操作信号入力端子と第２の操作信号入力端子とを備えるとともに、１基の燃焼部からの炎検出信号を入力するための炎検出信号入力端子を備え、上記第１の操作信号入力端子は、当該第１の操作信号入力端子から入力される操作信号と上記炎検出信号入力端子から入力される炎検出信号とに基づいて、これらの信号が一定条件を満たしたときに、インターロック信号を出力するように構成されたインターロック回路部に接続され、上記第２の操作信号入力端子は、当該第２の操作信号入力端子から所定の操作信号が入力されることによって作動して上記インターロック回路部からインターロック信号が出力されないようにするとともに、上記第２の操作信号入力端子から入力される操作信号が変化しても作動状態を保持する自己保持回路で構成されたインターロック制限部に接続されてなり、上記制御基板を、燃焼部が２基の燃焼装置に使用する場合には上記操作部からの操作信号が上記第１の操作信号入力端子に入力されるようにし、燃焼部が１基の燃焼装置に使用する場合には上記操作部からの操作信号が上記第２の操作信号入力端子に入力されるように構成されていることを特徴とする。
【００１０】
そして、本発明は、その好適な実施態様として、上記燃焼装置が風呂釜装置で構成されていることを特徴とする。
【００１１】
すなわち、本発明に係る風呂釜装置（燃焼装置）の安全装置は、風呂追い焚き用に独立した燃焼部を備えた風呂釜装置（２基の燃焼部を備えた燃焼装置）に使用する場合には、当該風呂釜装置の操作部からの操作信号が上記第１の操作信号入力端子に入力されるようにし、かつ、風呂追い焚き用（または給湯用）の燃焼部からの炎検出信号が炎検出信号入力端子に入力されるようにすることで、インターロック回路部が風呂追い焚き用（または給湯用）の燃焼部のインターロック回路として機能する。
【００１２】
一方、風呂追いだき用に独立した燃焼部を備えていない風呂釜装置（燃焼部が１基の燃焼装置）に使用する場合には、当該風呂釜装置の操作部からの操作信号が上記第２の操作信号入力端子に入力されるようにすることで、インターロック回路部からインターロック信号が出力されないようになる。つまり、燃焼部が１基の風呂釜装置に使用する場合には、機能させる必要のない側のインターロック回路（たとえば、給湯用の燃焼部に他のインターロック回路が接続されている場合には風呂追い焚き用の燃焼部のインターロック回路）に本発明を適用することにより、不要なインターロック回路部からインターロック信号が出力されるのを防止できる。そのため、本発明が適用され燃焼部が１基のときには不要となるインターロック回路部については、炎検出信号入力端子が未接続の状態で炎有りを示す炎検出信号が入力されない場合であっても当該インターロック回路部からインターロック信号は出力されず、インターロック回路の誤動作が回避される。
【００１３】
また、第２の操作信号入力端子が接続されるインターロック制限部は、一旦作動すると作動状態を保持する自己保持回路で構成されているので、この第２の操作信号入力端子に入力する操作信号を発生させる操作部への制約は最小限に抑制される。すなわち、たとえば、風呂釜装置を作動させるために行う操作部の操作のうち最初に行われる操作（具体的には、種火を灯す操作）によって発生する操作信号を自己保持回路の作動トリガとしておけば、その後の操作部の操作によって操作部から違う操作信号が出力されても自己保持回路は作動を継続するので、操作部に違う操作信号を発生する他の機能（たとえば、操作信号の反転による高温出湯の指示機能など）を割り当てることができる。つまり、インターロック回路部を誤動作させることなく、シンプルで多機能な操作部を採用することができる。
【００１４】
本発明はその好適な実施態様として、上記インターロック回路部はコンデンサを充電させて上記インターロック信号を生成する回路構成を備え、上記インターロック制限部はその作動により、上記インターロック回路部の電源からの電流が上記コンデンサに流れない電流経路を構成する回路構成を備えていることを特徴とする。
【００１５】
また、上記インターロック信号は、制御マイコンを介さずに、燃焼部への燃料経路を遮断させるインターロックの作動トリガとして用いられていることを特徴とする。
【００１６】
さらに、上記操作信号は、操作部の操作位置に応じて作動するカムスイッチのオン／オフ信号であることを特徴とする。
【発明の効果】
【００１７】
本発明によれば、２基の燃焼部を備えた燃焼装置（風呂釜装置）に使用する場合には風呂追い焚き用または給湯用の燃焼部（１基の燃焼部）のインターロック回路として機能させることができる一方、燃焼部が１基の燃焼装置に使用する場合には不要な側のインターロック回路としてインターロック信号が出力されないようにすることができるので、燃焼部が１基の燃焼装置と燃焼部が２基の燃焼装置とに兼用して使用可能な燃焼装置の安全装置を提供することができる。
【００１８】
そのため、この安全装置を、たとえば、風呂追い焚き用の燃焼部の安全装置として制御基板を構成することにより、燃焼部が１基の風呂釜装置と燃焼部が２基の風呂釜装置とに兼用できる制御基板を提供することができ、制御基板の製造コストや管理コストの低減化を図ることができる。
【００１９】
また、インターロック制限部の作動は、第２の操作信号入力端子に対する所定の操作信号の入力によって行われるので、インターロック信号の出力禁止にあたり抜き差し等する部品が存在せず、施工ミスの発生を防止することができる。
【図面の簡単な説明】
【００２０】
【図１】本発明に係る燃焼装置の安全装置の回路構成の一例を示す回路図である。
【図２】同安全装置が適用される風呂釜装置における操作部の操作位置とカムスイッチの動作状態との関係の一例を示す説明図であって、図２（ａ）は燃焼部が２基の風呂釜装置の一例を、図２（ｂ）は燃焼部が１基の風呂釜装置の一例をそれぞれ示している。
【発明を実施するための形態】
【００２１】
以下、本発明の実施形態を図面に基づいて詳細に説明する。
図１は、本発明を風呂釜装置の安全装置に適用した一例を示す回路図である。この安全装置は、給湯機能付きの風呂釜装置（燃焼装置）において、風呂追い焚き用または給湯用のバーナ（燃焼部）のインターロック回路を構成するものであって、具体的には、風呂追い焚き用のバーナと給湯用のバーナとがそれぞれ独立して設けられるタイプ（燃焼部が２基のタイプ）の風呂釜装置と、風呂追い焚き用のバーナと給湯用のバーナとが一つのバーナで兼用されるタイプ（燃焼部が１基のタイプ）の風呂釜装置の双方に使用可能な構成を備えたインターロック回路を示している。
【００２２】
より詳細には、この図に示す安全装置１は、燃焼部が２基のタイプの風呂釜装置に対応できるように、風呂追い焚き用のバーナと給湯用のバーナとにそれぞれ対応して設けられる２基の安全装置のうちのいずれか一方（以下の説明では、便宜上、風呂追い焚き用のバーナとする）の安全装置に適用され、燃焼部が１基のタイプの風呂釜装置に使用される場合にはインターロック回路としては用いない回路を構成している。
【００２３】
すなわち、この安全装置１は、後述するようにコンデンサやトランジスタなどの電気回路部品で構成されており、風呂釜装置の制御基板上に実装されるが、制御基板上には燃焼部が２基の風呂釜装置に対応できるように、本発明に係る安全装置１以外の安全装置（たとえば、一般的な構成のインターロック回路）が実装される。そして、燃焼部が一基のタイプの風呂釜装置にこの制御基板を用いる場合、当該燃焼部の安全装置として本発明に係る安全装置１ではない方の安全装置を用いるものとされ、本発明に係る安全装置１はインターロック回路としては使用しないものである。
【００２４】
この安全装置１は、図１に示すように、インターロック信号を発生させるインターロック回路部２と、インターロック回路部２からインターロック信号が出力されるのを禁止するインターロック制限部３とを主要部として構成されている。
【００２５】
インターロック回路部２は、図示しない風呂釜装置の操作部からの操作信号と、図示しない風呂追い焚き用のバーナからの炎検出信号とに基づいて、これらの信号が一定条件（たとえば、操作信号はバーナに対する燃焼を指示しているが炎検出信号は炎なしを示している場合など）を満たしたときに、インターロック信号を出力するように構成されたインターロック回路であって、上記操作部からの操作信号を入力するための信号入力端子として、後述するカムスイッチＳＷ１からのオン／オフ信号を入力するＳＷ１信号入力端子（第１の操作信号入力端子）４と、カムスイッチＳＷ２からのオン／オフ信号を入力するＳＷ２信号入力端子５とを備えるとともに、風呂追い焚き用のバーナからの炎検出信号を入力するための炎検出信号入力端子６と、インターロック信号を出力するインターロック信号出力端子７とを備えている。
【００２６】
そして、このインターロック回路部２には、回路電源１０と、コンデンサ１１と、トランジスタ１２〜１５とが備えられており、回路電源１０によって充電されたコンデンサ１１の電荷が溜まってコンデンサ１１のプラス極側の電位を上昇させることによって上記インターロック信号出力端子７からインターロック信号が出力されるように構成されている。
【００２７】
また、トランジスタ１２〜１４は、コンデンサ１１に電荷を溜めない（コンデンサ１１に電流を流さない）電流経路を形成させるために設けられており、これらトランジスタ１２〜１４が全てオンすることによってインターロック回路部２に矢符Ａに示す経路で電流が流れ、コンデンサ１１に電流が流れないようにされている。そのため、この矢符Ａの経路で電流が流れる場合にはコンデンサ１１には電荷が蓄積されないのでインターロック信号出力端子７からインターロック信号は出力されなくなる。
【００２８】
なお、これらトランジスタ１２〜１４のうち、上記トランジスタ１２の制御端子には、上記ＳＷ２信号入力端子５が接続され、カムスイッチＳＷ２がオンによりトランジスタ１２がオンするように構成されている。また、トランジスタ１４の制御端子には、上記ＳＷ１信号入力端子が接続され、カムスイッチＳＷ１のオンによりトランジスタ１４がオンするように構成されている。
【００２９】
また、トランジスタ１５は、インターロック信号を出力することなくコンデンサ１１の電荷を抜くための電流経路を形成させるものであって、炎検出信号入力端子６からの入力信号に応じてオン／オフするように構成されている。そして、このトランジスタ１５がオンすることによってインターロック回路部２には矢符Ｂに示す経路で電流が流れ、これによりコンデンサ１１の電荷が抜けるので、この場合も、インターロック信号出力端子７からインターロック信号は出力されない。
【００３０】
なお、本実施形態に示す安全装置１は、上述したように、風呂追い焚き用のバーナの安全装置として用いられるので、この回路の炎検出信号入力端子６には、風呂追い焚き用のバーナに設けられる炎検出手段（たとえば、フレームロッドやサーモカップルなど）が接続され、この炎検出手段が炎を検出した場合には「炎あり」を示す炎検出信号（Ｈｉ）がトランジスタ１５に入力されてトランジスタ１５がオンする一方、炎が検出されない場合には「炎なし」を示す炎検出信号（Ｌｏ）が入力され、トランジスタ１５がオフするように構成されている。
【００３１】
一方、インターロック制限部３は、作動することによって上記インターロック回路部２からインターロック信号が出力されないようにするために設けられた回路部であって、インターロック回路部２の回路電源１０からの電流がコンデンサ１１に流れないようにする電流経路を備えて構成されている。
【００３２】
このインターロック制限部３は、上記トランジスタ１４と並列に配設されるトランジスタ１６と、このトランジスタ１６をオン状態に保持する自己保持回路１７とを主要部として構成されており、トランジスタ１６がオンすることによってインターロック回路部２には矢符Ｃに示す経路で電流が流れ、コンデンサ１１に回路電源１０からの電流が流れなくなるように構成されている。つまり、トランジスタ１６がオンすることにより、コンデンサ１１には電荷が蓄積されず、インターロック信号出力端子７からインターロック信号が出力されなくなるようにしている。
【００３３】
自己保持回路１７は、回路電源１８とトランジスタ１９〜２１とで構成されており、この自己保持回路１７には、風呂釜装置の操作部からの操作信号を入力するための信号入力端子として第２のＳＷ１信号入力端子（第２の操作信号入力端子）８が接続されている。そして、この第２のＳＷ１信号入力端子８にカムスイッチＳＷ１のオン信号が与えられると、自己保持回路１７のトランジスタ１９〜２１がオンとなり、これに伴って矢符Ｃに示す電流経路を形成させるトランジスタ１６がオンするように構成されている。なお、このトランジスタ１６は自己保持回路１７を介してオンされているので、カムスイッチＳＷ１が変化しても（具体的には、カムスイッチＳＷ１がオフとなっても）、トランジスタ１６はオンの状態を維持する、つまり、インターロック制限部３の作動状態が維持されるように構成されている。
【００３４】
ところで、本発明に係る安全装置１は、上述したように、操作部からの操作信号を入力するための信号入力端子として、上述したＳＷ１信号入力端子４と、ＳＷ２信号入力端子５と、この第２のＳＷ１信号入力端子８とを備えている。ここで、ＳＷ１信号入力端子４と第２のＳＷ１信号入力端子８との関係について説明すると、本発明に係る安全装置１は、上述したように、風呂追い焚き用のバーナと給湯用のバーナを備えるタイプ（燃焼部が２基のタイプ）の風呂釜装置と、風呂追い焚き用のバーナと給湯用のバーナとが兼用されるタイプ（燃焼部が１基のタイプ）の風呂釜装置の双方に使用可能な構成を備えさせるために、風呂釜装置のタイプに応じて、風呂釜装置に備えられたカムスイッチＳＷ１からの操作信号を入力するための信号入力端子を２つ用意している。
【００３５】
そして、燃焼部が２基のタイプの風呂釜装置に使用する場合には、当該風呂釜装置のカムスイッチＳＷ１からの操作信号がインターロック回路部２のＳＷ１信号入力端子４に入力されるようにする一方、燃焼部が１基のタイプの風呂釜装置に使用する場合（つまり、この安全装置１をインターロック回路として機能させる必要がない場合）には、当該風呂釜装置のカムスイッチＳＷ１からの操作信号がインターロック制限部３に設けられる第２のＳＷ１信号入力端子８に入力されるように構成している。
【００３６】
すなわち、本発明に係る安全装置１を、燃焼部が２基のタイプの風呂釜装置に使用する場合には、インターロック回路部２の炎検出信号入力端子６には風呂追い焚き用のバーナの燃焼の有無に応じた炎検出信号（ＨｉまたはＬｏ）が入力されるので、この場合は、操作部からの操作信号がＳＷ１信号入力端子４を介してインターロック回路部２に与えられるようにして、インターロック回路部２で操作信号と炎検出信号によるインターロック動作（これらの信号が一定条件を満たしたときにインターロック信号を出力する動作）が行えるようにする。
【００３７】
これに対して、燃焼部が１基のタイプの風呂釜装置に使用する場合には、インターロック回路部２の炎検出信号入力端子６には炎検出手段は接続されないので、この端子６には固定の疑似信号（Ｌｏ）が入力される。そのため、この状態でインターロック回路部２を普通に動作可能な状態にすると誤ってインターロック信号が出力されることとなるので、この場合には、操作部からの操作信号を第２のＳＷ１信号入力端子８を介してインターロック制限部３に与え、トランジスタ１６をオンさせてコンデンサ１１に電流が流れないようにし、インターロック信号が出力されないようにしている。
【００３８】
次に、本発明に係る安全装置１を風呂釜装置に適用した場合について、操作部の操作信号との関係を示しながら説明する。
【００３９】
まず、風呂釜装置の操作部の構造について説明する。風呂釜装置の操作部は、ダイヤル式の操作つまみ（図示せず）で構成されており、その操作位置Ｐ（ポジション）に応じて、風呂釜装置の各部を制御する制御マイコン１００に対して風呂釜装置の運転設定が行えるように構成されている。
【００４０】
より詳細には、この操作つまみには、当該操作つまみの操作位置に応じて回転するシャフトが連結されており、操作つまみを予め設定された所定の操作位置に設定操作することによってシャフトに設けられたカム機構が作動し、このカム機構によってオン／オフされる２つのカムスイッチＳＷ１，ＳＷ２（図示せず）のオン／オフ信号を上記制御マイコン１００に取り込むことにより、制御マイコン１００が操作つまみの操作位置（運転設定）を把握できるように構成されている。本発明に係る安全装置１は、このカムスイッチＳＷ１，ＳＷ２のオン／オフ信号を、上記制御マイコン１００を介さずに取り込むように構成されている。
【００４１】
図２は、操作つまみの操作位置とカムスイッチの動作状態（制御マイコン１００に対する運転設定）との関係の一例を示す説明図である。なお、以下の説明では、操作つまみの操作に応じた風呂釜装置各部（たとえば、元ガス弁やバーナへの燃料供給弁、点火装置など）の動作（換言すれば、制御マイコン１００による制御の内容）の詳細は公知であるのでそれらの説明は最低限にとどめ安全装置１の動作を中心に説明する。
【００４２】
図２（ａ）は、風呂追い焚き用のバーナと給湯用のバーナを備えた（燃焼部が２基の）風呂釜装置における操作つまみの構成例を示している。この図２（ａ）に示す風呂釜装置では、操作つまみの操作位置がＰ０にあるときが消火状態とされる。
【００４３】
そして、操作つまみをＰ０の位置からＰ１の位置に操作すると、カムスイッチＳＷ１がオン（Ｌｏ→Ｈｉ）となり、風呂釜装置は図示しない種火バーナ（パイロットバーナ）に種火を灯した種火状態になる。またこれにより、インターロック回路部２のＳＷ１信号入力端子４にはカムスイッチＳＷ１からの操作信号（Ｈｉ）が入力されるのでトランジスタ１４がオンとなる。
【００４４】
次に、操作つまみをＰ１からＰ２の位置に操作すると、今度はカムスイッチＳＷ２がオン（Ｌｏ→Ｈｉ）となり、給湯用のバーナに点火した給湯状態となる。これにより、インターロック回路部２のＳＷ２信号入力端子５にはカムスイッチＳＷ２の操作信号（Ｈｉ）が入力され、これによりインターロック回路部２のトランジスタ１２〜１４が全てオンとなり、インターロック回路部２には符号Ａに示す電流が流れる。すなわち、本実施形態では、この安全装置１は風呂追い焚き用のバーナの安全装置として用いられるので、風呂追い焚き用のバーナが燃焼していない給湯状態ではインターロック回路部２からインターロック信号が出力されないようにしている。
【００４５】
次に、操作つまみをＰ２の位置から押し込みながらＰ３の位置に操作する（押回しをする）と、風呂追い焚き用のバーナに燃料を供給する燃料供給弁が開かれるとともに、風呂追い焚き用のバーナへの点火が行われる。この操作によりカムスイッチＳＷ１はオフとなる。これにより、インターロック回路部２のＳＷ１信号入力端子４にはカムスイッチＳＷ１からの操作信号（Ｌｏ）が入力されるので、この時点でトランジスタ１４がオフとなり、コンデンサ１１には回路電源１０からの電流が流れる。つまり、インターロック回路部２はインターロック信号を出力可能な状態になる。
【００４６】
そして、このときにインターロック回路部２の炎検出信号入力端子６に風呂追い焚き用のバーナに「炎あり」を示す炎検出信号（Ｈｉ）が入力されると、これによってトランジスタ１５がオンするのでインターロック回路部２には矢符Ｂに示す経路の電流が流れる。つまり、この場合は、風呂追い焚き用のバーナで正常に炎が検出されているので、インターロック回路部２からインターロック信号は出力されないようになる。これに対して、炎検出信号入力端子６に風呂追い焚き用のバーナに「炎なし」を示す炎検出信号（Ｌｏ）が入力された場合には、トランジスタ１５はオンしないのでコンデンサ１１には回路電源１０からの電流が流れ電荷が蓄積され、電荷が一定量を超えるとインターロック信号がインターロック信号出力端子７から出力される。
【００４７】
このように、本発明の安全装置１は、燃焼部が２基のタイプの風呂釜装置に使用される場合には風呂追い焚き用のバーナのインターロック回路として機能する。
【００４８】
これに対し、図２（ｂ）は風呂追い焚き用のバーナと給湯用のバーナとが一つのバーナで兼用された（燃焼部が１基の）風呂釜装置における操作つまみの構成例を示している。この風呂釜装置においても操作つまみの操作位置がＰ０にあるときが消火状態であるのは上記図２（ａ）の場合と同様である。
【００４９】
そして、操作つまみをＰ０の位置からＰ１の位置に操作すると、カムスイッチＳＷ１がオン（Ｌｏ→Ｈｉ）となり、種火バーナへの点火動作が行われる。なお、この図２（ｂ）に示す風呂釜装置では、種火バーナへの点火完了にともなって操作つまみは自動的にＰ２の位置に移動して種火状態となる。燃焼部が１基のタイプの風呂釜装置の場合、そのカムスイッチＳＷ１は、インターロック制限部３の第２のＳＷ１信号入力端子８に入力されるので、カムスイッチＳＷ１がオンすることによって自己保持回路１７のトランジスタ１９〜２１が全てオンとなる。つまり、この自己保持回路１７は、操作つまみの操作開始（最初の操作）によって作動するように構成されている。
【００５０】
次に、操作つまみをＰ２からＰ３の位置に操作すると、カムスイッチＳＷ２がオン（Ｌｏ→Ｈｉ）となり、給湯用のバーナに点火した給湯状態となる。また、この風呂釜装置では、操作つまみをＰ２の位置からＰ３の位置に押回しをした場合にもカムスイッチＳＷ２がオン（Ｌｏ→Ｈｉ）となり、この場合は風呂追い焚き用のバーナへの点火が行われ風呂追い焚き状態となる。このようにカムスイッチＳＷ２がオンになると、インターロック回路部２のトランジスタ１２，１３がオンとなり、インターロック制限部３のトランジスタ１６がオンとなっているので、インターロック回路部２には矢符Ｃに示す電流が流れる。つまり、この場合、インターロック回路部２からインターロック信号が出力されないようになる。
【００５１】
そして、この風呂釜装置では、操作つまみの操作位置にＰ４が設けられており、操作つまみをＰ３からＰ４に操作することによってカムスイッチＳＷ１がオフ（Ｈｉ→Ｌｏ）となって風呂釜装置は高温出湯状態となる。このように、この風呂釜装置では、給湯動作中にカムスイッチＳＷ１がオフとなる場合が設定されているが、インターロック制限部３のトランジスタ１６は自己保持回路１７によってオンの状態を維持するので、インターロック回路部２には矢符Ｃに示す電流が流れた状態が維持され、インターロック回路部２からインターロック信号は出力されない。
【００５２】
このように、本発明の安全装置１は、燃焼部が１基のタイプの風呂釜装置に使用される場合には、インターロック制限部３がインターロック回路部２からインターロック信号が出力されないように機能するので、炎検出信号入力端子６に炎検出手段が接続されない状態であっても誤ってインターロック信号が出力されることがない。
【００５３】
しかして、このように構成された安全装置１からのインターロック信号は、上記制御マイコン１００を介さずに、燃焼部への燃料経路を遮断させるインターロックの作動トリガとして用いられている。
【００５４】
すなわち、このインターロック信号は、たとえば、風呂追い焚き用のバーナや給湯用のバーナ、さらには種火用の種火バーナ（パイロットバーナ）などに燃料を供給する大元の燃料供給弁（たとえば、元ガス電磁弁）を閉止させるトリガとして用いられる。
【００５５】
このように本発明に係る安全装置１を風呂釜装置の燃焼部の安全装置として用いることにより、２基の燃焼部を備えた風呂釜装置に使用する場合には風呂追い焚き用の燃焼部のインターロック回路として機能する一方、燃焼部が１基の風呂釜装置に使用する場合には誤動作によりインターロック信号が出力されることのない状態を維持することができる。
【００５６】
また、この安全装置１は、風呂釜装置の操作部（具体的には、カムスイッチＳＷ１）からの操作信号を入力するための信号入力端子として、ＳＷ１信号入力端子４と第２のＳＷ１信号入力端子８を備えているので、風呂釜装置の制御基板としては、燃焼部が１基の風呂釜装置と燃焼部が２基の風呂釜装置とに兼用できる制御基板とすることができるので、制御基板の製造コストの低減化を図ることができる。
【００５７】
さらに、インターロック制限部３は、第２の操作信号入力端子に対する所定の操作信号の入力によって作動し、その作動状態を保持する自己保持回路１７を備えているので、施工現場で部品の抜き差し等が必要なく、施工ミスの発生を抑制することができる。
【００５８】
なお、上述した実施形態は本発明の好適な実施態様を示すものであって、本発明はこれらに限定されることなく発明の範囲内で種々の設計変更が可能である。
【００５９】
たとえば、上述した実施形態では、本発明を燃焼部が２基の風呂釜装置に適用する場合に風呂追い焚き用のバーナの安全装置として用いた場合を示したが、本発明に係る安全装置１は給湯用のバーナの安全装置としても用いることができる。
【００６０】
また、上述した実施形態では、本発明を給湯機能付きの風呂釜装置に適用した場合を示したが、本発明は給湯機能を備えない風呂釜装置にも適用できる。すなわち、この場合であっても、給湯機能を備える風呂釜装置と制御基板を共用することができ、制御基板の製造コストや管理コストを抑制することができる。
【００６１】
さらに、上述した実施形態では、本発明を風呂釜装置に適用した場合を示したが、本発明は、他の燃焼装置であって、燃焼部が１基のタイプと２基のタイプが提供される燃焼装置であれば、風呂釜装置に限らず広く適用することができる。
【符号の説明】
【００６２】
１                        安全装置
２                        インターロック回路部
３                        インターロック制限部
４                        ＳＷ１信号入力端子（第１の操作信号入力端子）
５                        ＳＷ２信号入力端子
６                        炎検出信号入力端子
７                        インターロック信号出力端子
８                        第２のＳＷ１信号入力端子（第２の操作信号入力端子）
１０、１８                回路電源
１１                      コンデンサ
１２〜１６、１９〜２１    トランジスタ
１７                      自己保持回路
１００                    制御マイコン
【図１】
0005644271.tif 000002
【図２】
0005644271.tif 000003